【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
インターネット等のオープンコンピュータネットワークへの接続機能を有し、
アクセス者が携行する情報端末と、
前記オープンコンピュータネットワークに接続され、前記情報端末からのアクセスに基づき、該アクセス者に対して安否情報を提供するためのサーバコンピュータと、
を備え、
前記サーバコンピュータは、
安否確認の実施対象とするグループを形成するとともに、該グループに固有とされたアクセスページへのアクセスを可能とするための前記オープンコンピュータネットワーク上のアドレスを生成するグループアドレス生成手段と、
該グループアドレス生成手段にて形成されたグループに属するメンバーを個々に識別可能なメンバー識別情報を受付け、該受付けたメンバー識別情報を、該グループを個々に特定可能なグループ特定情報に対応付けて記憶することでメンバーの登録を実施するメンバー登録手段と、
前記アクセス者が携行する情報端末からの前記グループアドレス生成手段にて生成されたアドレスによる当該アクセス者がメンバーとなっているグループに対応するアクセスページへのアクセスに基づいて、該アクセスページに対応するグループに属するメンバーの内、該アクセス者が該当するメンバーのメンバー識別情報と安否情報とを受付け、該受付けたメンバー識別情報と安否情報とを対応付けて記憶する安否情報記憶手段と、
該アクセスページに対応するグループに属する各メンバーの安否情報を、前記安否情報記憶手段にて記憶された各メンバーの安否情報に基づいてアクセス者に配信する安否情報配信手段と、
を有する安否確認システムにおいて、
前記メンバー登録手段は、前記グループアドレス生成手段にて形成されたグループに属するが携帯端末を有しない者のメンバー識別情報を受付けて前記グループ特定情報に対応付けて記憶し、
一方、携帯端末を有しない者のメンバー識別情報をコード化するコード化手段を有し、
前記安否情報記憶手段は、コード化されたメンバー識別情報を読み取った携帯端末からのアクセスに基づいて、そのメンバーの識別情報と安否情報とを受付け、該受付けたメンバー識別情報と安否情報とを対応付けて記憶することを特徴とする安否確認システムにおいて用いられるメディアであり、
前記コード化手段によりコード化された、携帯端末を有しない者のメンバー識別情報のコードを記録した事を特徴とするメディア。
【請求項２】
前記コードを印刷により記録したカードである請求項１記載のメディア。
【請求項３】
前記安否確認システムにおいて、
前記メンバー登録手段は、メンバー識別情報とともに当該メンバーの電子メールアドレスを受付け、該受付けた電子メールアドレスをメンバー識別情報に対応付けて記憶し、
前記サーバコンピュータは、前記メンバー登録手段にて受付けた電子メールアドレスに対して前記グループアドレス生成手段にて生成したアクセスページのアドレスを含む電子メールを送信する電子メール送信手段を備えることを特徴とする請求項１または２記載の安否確認システム用のメディア。
【請求項４】
前記安否確認システムにおいて、
前記サーバコンピュータは、各メンバーの認証に使用するための認証情報を生成する認証情報生成手段を備え、
前記メンバー登録手段は、該認証情報生成手段にて生成された認証情報をメンバー識別情報に対応付けて仮登録し、
前記電子メール送信手段は、前記認証情報生成手段にて生成した認証情報を含む電子メールを送信し、
前記サーバコンピュータは、アクセス者から前記電子メール送信手段にて送信された電子メールにて通知された認証情報とメンバー識別情報とを受付けて、
該受付けた認証情報とメンバー識別情報の認証を、前記メンバー登録手段にて記憶した認証情報とメンバー識別情報との比較に基づいて実施する認証手段を備え、
前記メンバー登録手段は、該認証手段における認証が一致したことを条件に、該メンバー識別情報の仮登録を正規登録に更新することを特徴とする請求項１から３のいずれかに記載の安否確認システム用のメディア。
【請求項５】
前記安否確認システムにおいて、
前記サーバコンピュータは、複数のグループをリング付けするグループリンク手段を備え、
前記安否情報配信手段は、前記アクセスページに対応するグループに属する各メンバーの安否情報に加えて、当該グループに対して前記グループリンク手段にてリンクされたグループに属するメンバーの安否情報を配信することを特徴とする請求項１から４のいずれかに記載の安否確認システム用のメディア。
【請求項６】
前記安否確認システムにおいて、
前記電子メール送信手段は、前記安否情報記憶手段において新たな安否情報の受付けがあったときに、該新たな安否情報とメンバー識別情報とを含む電子メールを、当該安否情報を新たに受付けたメンバー以外のメンバーおよび／または前記リンク手段にてリンクされたグループのメンバーの電子メールアドレスに対して送信することを特徴とする請求項３から５のいずれかに記載の安否確認システム用のメディア。
【請求項７】
インターネット等のオープンコンピュータネットワークへの接続機能を有し、
アクセス者が携行する情報端末と、
前記オープンコンピュータネットワークに接続され、前記情報端末からのアクセスに基づき、該アクセス者に対して安否情報を提供するためのサーバコンピュータと、
を備え、
前記サーバコンピュータは、
安否確認の実施対象とするグループを形成するとともに、該グループに固有とされたアクセスページへのアクセスを可能とするための前記オープンコンピュータネットワーク上のアドレスを生成するグループアドレス生成手段と、
該グループアドレス生成手段にて形成されたグループに属するメンバーを個々に識別可能なメンバー識別情報を受付け、該受付けたメンバー識別情報を、該グループを個々に特定可能なグループ特定情報に対応付けて記憶することでメンバーの登録を実施するメンバー登録手段と、
前記アクセス者が携行する情報端末からの前記グループアドレス生成手段にて生成されたアドレスによる当該アクセス者がメンバーとなっているグループに対応するアクセスページへのアクセスに基づいて、該アクセスページに対応するグループに属するメンバーの内、該アクセス者が該当するメンバーのメンバー識別情報と安否情報とを受付け、該受付けたメンバー識別情報と安否情報とを対応付けて記憶する安否情報記憶手段と、
該アクセスページに対応するグループに属する各メンバーの安否情報を、前記安否情報記憶手段にて記憶された各メンバーの安否情報に基づいてアクセス者に配信する安否情報配信手段と、
を有する安否確認システム用であって、
携帯端末を有しない者のメンバー識別情報を記憶させたメモリを有する非接触ＩＣカードからなることを特徴としたメディアであり、
前記安否確認システムにおいて、前記メンバー登録手段は、前記グループアドレス生成手段にて形成されたグループに属するが携帯端末を有しない者のメンバー識別情報を受付けて前記グループ特定情報に対応付けて記憶し、
前記安否情報記憶手段は、携帯端末を有しない者のメンバー識別情報を読み取った携帯端末からのアクセスに基づいて、そのメンバーの識別情報と安否情報とを受付け、該受付けたメンバー識別情報と安否情報とを対応付けて記憶することを特徴とする安否確認システムに用いるメディア。
【請求項８】
インターネット等のオープンコンピュータネットワークへの接続機能を有し、
アクセス者が携行する情報端末と、
前記オープンコンピュータネットワークに接続され、前記情報端末からのアクセスに基づき、該アクセス者に対して安否情報を提供するためのサーバコンピュータと、
を備え、
前記サーバコンピュータは、
安否確認の実施対象とするグループを形成するとともに、該グループに固有とされたアクセスページへのアクセスを可能とするための前記オープンコンピュータネットワーク上のアドレスを生成するグループアドレス生成手段と、
該グループアドレス生成手段にて形成されたグループに属するメンバーを個々に識別可能なメンバー識別情報を受付け、該受付けたメンバー識別情報を、該グループを個々に特定可能なグループ特定情報に対応付けて記憶することでメンバーの登録を実施するメンバー登録手段と、
前記アクセス者が携行する情報端末からの前記グループアドレス生成手段にて生成されたアドレスによる当該アクセス者がメンバーとなっているグループに対応するアクセスページへのアクセスに基づいて、該アクセスページに対応するグループに属するメンバーの内、該アクセス者が該当するメンバーのメンバー識別情報と安否情報とを受付け、該受付けたメンバー識別情報と安否情報とを対応付けて記憶する安否情報記憶手段と、
該アクセスページに対応するグループに属する各メンバーの安否情報を、前記安否情報記憶手段にて記憶された各メンバーの安否情報に基づいてアクセス者に配信する安否情報配信手段と、
を有する安否確認システムにおいて、
前記メンバー登録手段は、前記グループアドレス生成手段にて形成されたグループに属するが携帯端末を有しない者のメンバー識別情報を受付けて前記グループ特定情報に対応付けて記憶し、
一方、携帯端末を有しない者のメンバー識別情報をコード化するコード化手段を有し、
前記安否情報記憶手段は、コード化されたメンバー識別情報を読み取った携帯端末からのアクセスに基づいて、そのメンバーの識別情報と安否情報とを受付け、該受付けたメンバー識別情報と安否情報とを対応付けて記憶することを特徴とする安否確認システム。
【請求項９】
前記コード化手段によりコード化された、携帯端末を有しない者のメンバー識別情報のコードを、携帯可能なメディアに記録し、携帯端末を有しない者の携帯用とした事を特徴とする、請求項８記載の安否確認システム。
【請求項１０】
前記メディアに記録した、携帯端末を有しない者のメンバー識別情報のコードを、第３者が有する携帯端末で読み取ることで、安否情報記憶手段へのアクセスを可能とした、請求項９記載の安否確認システム。
【請求項１１】
前記メンバー登録手段は、メンバー識別情報とともに当該メンバーの電子メールアドレスを受付け、該受付けた電子メールアドレスをメンバー識別情報に対応付けて記憶し、
前記サーバコンピュータは、前記メンバー登録手段にて受付けた電子メールアドレスに対して前記グループアドレス生成手段にて生成したアクセスページのアドレスを含む電子メールを送信する電子メール送信手段を備えることを特徴とする請求項８から１０いずれかに記載の安否確認システム。
【請求項１２】
前記サーバコンピュータは、各メンバーの認証に使用するための認証情報を生成する認証情報生成手段を備え、
前記メンバー登録手段は、該認証情報生成手段にて生成された認証情報をメンバー識別情報に対応付けて仮登録し、
前記電子メール送信手段は、前記認証情報生成手段にて生成した認証情報を含む電子メールを送信し、
前記サーバコンピュータは、アクセス者から前記電子メール送信手段にて送信された電子メールにて通知された認証情報とメンバー識別情報とを受付けて、
該受付けた認証情報とメンバー識別情報の認証を、前記メンバー登録手段にて記憶した認証情報とメンバー識別情報との比較に基づいて実施する認証手段を備え、
前記メンバー登録手段は、該認証手段における認証が一致したことを条件に、該メンバー識別情報の仮登録を正規登録に更新することを特徴とする請求項８から１１いずれかに記載の安否確認システム。
【請求項１３】
前記サーバコンピュータは、複数のグループをリング付けするグループリンク手段を備え、
前記安否情報配信手段は、前記アクセスページに対応するグループに属する各メンバーの安否情報に加えて、当該グループに対して前記グループリンク手段にてリンクされたグループに属するメンバーの安否情報を配信することを特徴とする請求項８から１２のいずれかに記載の安否確認システム。
【請求項１４】
前記電子メール送信手段は、前記安否情報記憶手段において新たな安否情報の受付けがあったときに、該新たな安否情報とメンバー識別情報とを含む電子メールを、当該安否情報を新たに受付けたメンバー以外のメンバーおよび／または前記リンク手段にてリンクされたグループのメンバーの電子メールアドレスに対して送信することを特徴とする請求項１１から１３のいずれかに記載の安否確認システム。
【手続補正２】
【補正対象書類名】明細書
【補正対象項目名】０００８
【補正方法】変更
【補正の内容】
【０００８】また、さらに、前記コード化手段によりコード化された、携帯端末を有しない者のメンバー識別情報のコードを、携帯可能なメディアに記録し、携帯端末を有しない者の携帯用とする。
ここでいう、コードは、ＱＲコード（登録商標）、バーコードなど、あるいは、その他の暗号である。また、メディアとは、紙やプラスチックシートなど、ＲＦＩＤやその他非接触式ＩＣカードなど、メモリを有するメディアでもよい。
そして、本発明では、前記メディアに記録した、携帯端末を有しない者のメンバー識別情報のコードを、第３者が有する携帯端末で読み取ることで、安否情報記憶手段へのアクセスを可能とすることができる。
【手続補正３】
【補正対象書類名】図面
【補正対象項目名】図６
【補正方法】変更
【補正の内容】
【図６】
2014063454.tif 000001
【手続補正４】
【補正対象書類名】図面
【補正対象項目名】図７
【補正方法】変更
【補正の内容】
【図７】
2014063454.tif 000002
【手続補正５】
【補正対象書類名】図面
【補正対象項目名】図８
【補正方法】変更
【補正の内容】
【図８】
2014063454.tif 000003
【手続補正６】
【補正対象書類名】図面
【補正対象項目名】図９
【補正方法】変更
【補正の内容】
【図９】
2014063454.tif 000004
【手続補正７】
【補正対象書類名】図面
【補正対象項目名】図１１
【補正方法】変更
【補正の内容】
【図１１】
2014063454.tif 000005
【手続補正８】
【補正対象書類名】図面
【補正対象項目名】図１２
【補正方法】変更
【補正の内容】
【図１２】
2014063454.tif 000006